(57)【要約】【課題】  たとえば電源スイッチがない構造のハンド式マイクロフォンにおける電源の入り切りを簡単な構造により可能とすることができるタッチセンサ機能付きハンド式マイクロフォン装置を得る。【解決手段】  ワイヤレス型マイクロフォンまたは有線型マイクロフォン等のハンド式マイクロフォン装置Ｍは、マイクロフォンを構成する筐体（マイクロフォン本体）７の握り部全体にタッチセンサ１を有する。この筐体の握り部のいずれの箇所を触っても、マイクロフォン１の電源が入り、離すことで電源が切れるように構成する。【選択図】        図２
2007325141.tif 000002
【特許請求の範囲】
【請求項１】
ワイヤレス型マイクロフォンまたは有線型マイクロフォン等のハンド式マイクロフォン装置であって、
マイクロフォンを構成する筐体の握り部に全体にわたってタッチセンサを設け、
この筐体の握り部のいずれの箇所を触ってもマイクロフォンの電源が入るように構成したことを特徴とするタッチセンサ機能付きハンド式マイクロフォン装置。
【請求項２】
請求項１記載のタッチセンサ機能付きハンド式マイクロフォン装置において、
マイクロフォンの筐体には、抵抗方式または静電容量方式のタッチセンサが内蔵して設けられ、
前記筐体の握り部を握ることにより電波出力回路の電源が入り、離すことにより電波出力回路の電源が切れるように構成したことを特徴とするタッチセンサ機能付きハンド式マイクロフォン装置。
【請求項３】
請求項１記載のタッチセンサ機能付きハンド式マイクロフォン装置において、
マイクロフォンの筐体には、抵抗方式または静電容量方式のタッチセンサが内蔵して設けられ、
前記筐体の握り部を握ることによりマイクアンプ回路の電源が入り、離すことによりマイクアンプ回路の電源が切れるように構成したことを特徴とするタッチセンサ機能付きハンド式マイクロフォン装置。
【請求項４】
請求項１ないし請求項３のいずれか１項に記載のタッチセンサ機能付きハンド式マイクロフォン装置において、
前記マイクロフォンにおける筐体の握り部に設けたタッチセンサは、一度触れることで電源がオンするとともに、次に触れることにより電源がオフするように構成されていることを特徴とするタッチセンサ機能付きハンド式マイクロフォン装置。
【請求項５】
請求項１ないし請求項４のいずれか１項に記載のタッチセンサ機能付きハンド式マイクロフォン装置において、
前記タッチセンサに触れてから電源がオンするまでの間、または離してから電源がオフするまでの間に、所定時間遅延する遅延回路を設けたことを特徴とするタッチセンサ機能付きハンド式マイクロフォン装置。
【請求項６】
請求項１ないし請求項５のいずれか１項に記載のタッチセンサ機能付きハンド式マイクロフォン装置において、
マイクロフォンは、マイクホルダを介してマイクスタンドに保持されるように構成されており、
前記マイクホルダは、擬似的に人体が触れたと認識するように構成され、これによりマイクロホンの電源が入るように構成されていることを特徴とするタッチセンサ機能付きハンド式マイクロフォン装置。
【請求項７】
請求項６記載のタッチセンサ機能付きハンド式マイクロフォン装置において、
前記マイクホルダは、その内側に擬似的に人体が触れたと認識するテープを貼ることにより使用されるように構成されていることを特徴とするタッチセンサ機能付きハンド式マイクロフォン装置。
【発明の詳細な説明】
【技術分野】
【０００１】
本発明は、ワイヤレス型や有線型のマイクロフォン等のハンド式マイクロフォン装置であって、特にタッチセンサ機能をもつハンド式マイクロフォン装置に関する。
【背景技術】
【０００２】
従来からハンド式マイクロフォン装置としては、種々の構造を有するものが知られているが、そのなかで、たとえば放送局、ホール等で使用されるハンド式マイクロフォンには、電源スイッチがないものが使用されることが多い。
【０００３】
このような電源スイッチ（手動操作でオンオフされる操作スイッチ）がない構造のハンド式マイクロフォンにおいて、いわゆるワイヤレス型のものでは、電源の入り切りは電池を入れたり外したりすることで、実質的に電源をオン、オフさせることにより対応している。
また、有線型のものでは、アンプ側に接続されるマイクケーブルを接続したり引き抜いたりすることで実質的に電源をオン、オフさせることにより対応している。
【０００４】
しかし、このようなワイヤレス型のマイクロフォンのように、電池の出し入れで電源をオン、オフする構造では、使用していないときでも電池を取り出さない限り、電源は入りっぱなしであるため、電池を無駄に消費してしまうという問題がある。
また、有線型のマイクロフォンでは、マイクケーブルを外さない限り不要な音を拾ってしまう可能性がある。
【０００５】
一方、電源スイッチ付きのハンド式マイクロフォンは、そのスイッチを入り切りすることで対応している。しかし、このような電源スイッチ付きのマイクロフォンでは、スイッチの切り忘れの場合は電池または電源を消費してしまうという問題がある。
【０００６】
さらに、ワイヤレス型、有線型のいずれのマイクロフォン装置にも共に当てはまることとして、不意に落としてしまったときの衝撃音が入力され、音響装置に影響を与えかねないという不具合もある。
【０００７】
また、上述したような電源スイッチがない構造のハンド式マイクロフォン装置において、スイッチのオン、オフを、人がマイクロフォンの前に立ったり、接近したりすることを検出することで行うように構成したものも、従来既に提案されている（例えば、特許文献１、特許文献２参照）。
【０００８】
【特許文献１】特開２００４−７２５５９号公報
【特許文献２】特開２００４−９６１５４号公報
【発明の開示】
【発明が解決しようとする課題】
【０００９】
このような従来のハンド式マイクロフォン装置では、人がマイクロフォン近くにいることを検出するためのセンサを設け、このセンサにより人を検出することで、スイッチをオンし電源を入れるようにしているが、その確実性に欠け、必要時に電源が入らない場合があった。さらに、人が離れることで、電源がオフするようになっているが、その確実性にも欠け、またオン、オフのタイミングから、使い勝手が悪いという不具合もあった。
【００１０】
さらに、現在、市場では、この種のハンド式マイクロフォンとして、電源スイッチがあるタイプと電源スイッチがないタイプとが使い分けられている。そのため、メーカでは、二種類の筐体を作られなければならないという問題もあった。
【００１１】
本発明はこのような事情に鑑みてなされたものであり、上述したような従来の問題点を一掃することができるタッチセンサ機能付きハンド式マイクロフォン装置を得ることを目的とする。
【課題を解決するための手段】
【００１２】
このような目的に応えるために本発明（請求項１記載の発明）に係るタッチセンサ機能付きハンド式マイクロフォン装置は、ワイヤレス型マイクロフォンまたは有線型マイクロフォン等のハンド式マイクロフォン装置であって、マイクロフォンを構成する筐体の握り部に全体にわたってタッチセンサを設け、この筐体の握り部のいずれの箇所を触ってもマイクロフォンの電源が入るように構成したことを特徴とする。
【００１３】
本発明（請求項２記載の発明）に係るタッチセンサ機能付きハンド式マイクロフォン装置は、請求項１において、マイクロフォンの筐体には、抵抗方式または静電容量方式のタッチセンサが内蔵して設けられ、前記筐体の握り部を握ることにより電波出力回路の電源が入り、離すことにより電波出力回路の電源が切れるように構成したことを特徴とする。
【００１４】
本発明（請求項３記載の発明）に係るタッチセンサ機能付きハンド式マイクロフォン装置は、請求項１において、マイクロフォンの筐体には、抵抗方式または静電容量方式のタッチセンサが内蔵して設けられ、前記筐体の握り部を握ることによりマイクアンプ回路の電源が入り、離すことによりマイクアンプ回路の電源が切れるように構成したことを特徴とする。
【００１５】
本発明（請求項４記載の発明）に係るタッチセンサ機能付きハンド式マイクロフォン装置は、請求項１ないし請求項３のいずれか１項において、マイクロフォンにおける筐体の握り部に設けたタッチセンサは、一度触れることで電源がオンするとともに、次に触れることにより電源がオフするように構成されていることを特徴とする。
【００１６】
本発明（請求項５記載の発明）に係るタッチセンサ機能付きハンド式マイクロフォン装置は、請求項１ないし請求項４のいずれか１項において、タッチセンサに触れてから電源がオンするまでの間、または離してから電源がオフするまでの間に、所定時間遅延する遅延回路を設けたことを特徴とする。
【００１７】
本発明（請求項６記載の発明）に係るタッチセンサ機能付きハンド式マイクロフォン装置は、請求項１ないし請求項５のいずれか１項において、マイクロフォンは、マイクホルダを介してマイクスタンドに保持されるように構成されており、マイクホルダは、擬似的に人体が触れたと認識するように構成され、これによりマイクロホンの電源が入るように構成されていることを特徴とする。
【００１８】
本発明（請求項７記載の発明）に係るタッチセンサ機能付きハンド式マイクロフォン装置は、請求項６において、マイクホルダは、その内側に擬似的に人体が触れたと認識するテープを貼ることにより使用されるように構成されていることを特徴とする。
【００１９】
本発明によれば、手動操作によりオン、オフする電源操作スイッチを有していないハンド式マイクロフォンにおいて、該マイクロフォンの筐体の握り部に触れることで電源が入り、離すことで電源が切れるようにすることができる。また、マイクスタンドに保持させて使用する際には、マイクホルダを用い、擬似的に人体が触れたと認識するように構成すれば、上記と同様の使い勝手を得ることができる。
【発明の効果】
【００２０】
以上説明したように本発明に係るタッチセンサ機能付きハンド式マイクロフォン装置によれば、触れるだけで電源がオンし、離すことでオフするため、無駄な電池、電源の消費を抑えることができ、またスイッチ操作、電池の出し入れ、あるいはケーブルの接続や引き抜きなどといった面倒な操作は不要であり、使い勝手がよく、さらにマイクロフォンを落とした時の衝撃音を伝送する等の不具合がない等といった種々優れた効果を奏することができる。
【００２１】
さらに、本発明によれば、従来提案されていた近接センサなどを用いたものに比べて、使用者が自分の手を掴んだり離したりすることで、電源をオン、オフするように構成しているため、確実性の面で優れ、また使用のタイミングに合わせた電源のオン、オフを行える等の種々優れた効果もある。
【００２２】
さらに、本発明によるハンド式マイクロフォン装置によれば、現在市場で使い分けられている電源スイッチがあるタイプと電源スイッチがないタイプとのハンド式マイクロフォンの筐体を、共通な構造として使用することができる等の実用上優れた利点もある。
【発明を実施するための最良の形態】
【００２３】
図１ないし図２は本発明に係るタッチセンサ機能付きハンド式マイクロフォン装置の一実施形態を示すものであり、これらの図において、この実施形態では、ハンド式マイクロフォンＭとして、ワイヤレス型のものを例示して以下に説明する。しかし、これに限定されず、マイクケーブルにより接続される有線型のものであってもよい。
【００２４】
このハンド式マイクロフォンＭにおいて、その筐体（マイクロフォン本体７）の握り部には、図２からも明らかなように、タッチセンサ１が全面にわたって形成されている。そして、この筐体の握り部のいずれの箇所を触ってもマイクロフォンＭの電源が入るように構成している。
すなわち、使用者の手Ｈが、図１（ａ）に示すように、筐体握り部に触れてこれを握ることにより、このタッチセンサ１がこの状態を検知し、制御部２に信号を送り、電源回路３をオンするようになっている。また、同図（ｂ）に示すように、手Ｈを離すと、タッチセンサ１がその状態を検知し、制御部２に信号を送ることで、電源回路３をオフするようになっている。
【００２５】
ここで、このタッチセンサ１としては、たとえば抵抗方式または静電容量方式のものが用いられる。
また、図２中、符号４はマイクアンプ回路、５は変調回路、６は電波出力回路であり、また８は音声信号が入力されるマイクヘッド、９はアンテナである。
【００２６】
このような構成において、マイクロフォンＭの筐体の握り部を握ることにより電波出力回路６の電源が入り、離すことにより電波出力回路６の電源が切れるように構成するとよい。
また、マイクロフォンＭの筐体の握り部を握ることによりマイクアンプ回路４の電源が入り、離すことによりマイクアンプ回路４の電源が切れるように構成してもよい。
【００２７】
このような構成によるハンド式マイクロフォンＭについての動作を、以下に例示する。
すなわち、図２において、マイクロフォン本体７に搭載したタッチセンサ１に触れると、このタッチセンサ１から制御部２へ信号が入力され、制御部２はマイクロフォン本体７の電源回路３またはマイクアンプ回路４の電源または電波出力回路８の電源制御を行う。
また、タッチセンサ１から手Ｈを離すと、その信号が電源回路３、マイクアンプ回路４、電波出力回路８の電源をオフするように動作する。
【００２８】
このように構成すれば、触れるだけで電源がオンし、離すことでオフするため、従来のような無駄な電池、電源の消費を抑えることができ、またスイッチ操作、電池の出し入れ、あるいはケーブルの接続や引き抜きなどといった面倒な操作は不要であり、使い勝手がよくなる。
【００２９】
また、このような構成によれば、筐体内部の制御回路によって、タッチセンサ１による電源のオン、オフ制御の設定を行えることから、電源スイッチの有無による筐体の相違をなくし、筐体の共通化を図ることができる。
さらに、使用者の手Ｈから離れることで電源がオフすることから、不意にマイクロフォンＭを落としてしまっても、落下中に電源が切れるから、落下時の衝撃音で音響機器に影響を与えるといった不具合はなくなる。
【００３０】
ここで、上述した実施形態では、使用者が、手Ｈを触れていると電源がオンし、離すとオフする場合を説明したが、たとえば握り部を強く握る等によって一度触れると電源がオンし、次に強く握ることで触れると電源がオフするといった回路構成とすることもできる。
【００３１】
また、マイクロフォンＭにおける筐体７の握り部に設けたタッチセンサ１を、タッチセンサ１に触れてから電源がオンするまでの間、または離してから電源がオフするまでの間に、所定時間遅延する遅延回路を設け、電源のオン、オフのタイミングを調整可能に構成してもよい。
【００３２】
図３は上述したような遅延動作を行わせるためのタイマ部１２を設けた場合の例である。ここで、図中、１０は端子で、端子１０は図示しないパーソナルコンピュータ（ＰＣ）などからの通信ケーブル、例えばＵＳＢ等の接続ケーブル用の端子であり、この端子１０にケーブルが接続されることで、図中１１で示すモード切替部でのモード切替えを行えるように構成されている。
なお、図中１ａは検出部、１ｂは被検部であり、これによりタッチセンサ１が構成されるものである。
【００３３】
図４は上述した図３での端子１０の代わりに、アンテナ９に接続される受信部を設けた例である。ここで、この受信部は、フィルタ２１と受信回路２２と復調回路２３とからなり、マイクロフォンＭのアンテナ９への無線でモード切替部１１のモード切替制御を行うように構成されている。勿論、これに限らず、モード切替部１１のモード設定は、組み立て時にディップスイッチ等により予め設定するようにしてもよい。
なお、図４中、１３はフィルタである。
【００３４】
上述したような図３や図４での実施形態において、モード切替部１１において切替えられるモードとしては、例えばタッチ検出時に常にオンするモード、タッチ検出から所定の遅延時間経過後にオンするモード、タッチ検出でオンし、次のタッチ検出でオフとなるモード等がある。
このような構成としても、上述した図１、図２を用いて説明した実施形態とほぼ同等の作用効果が得られるものである。
【００３５】
図５は、上述したハンド式マイクロフォンＭを、マイクスタンドに保持させて使用する場合を説明するものである。
すなわち、このようにマイクスタンドを使用する場合には、マイクホルダ２０を用い、その内側にたとえば擬似的に人体が触れたと認識するテープ２１を貼ることにより、マイクスタンドに保持させた場合でも、タッチセンサ１が作動して電源をオンし、またマイクホルダ２０を外すことで電源をオフするように構成するとよい。
【００３６】
なお、上述したテープ２１としては容量性のあるテープを用いるとよい。そして、これを静電容量センサで検出するようにするとよい。
ここで、上記の説明は、マイクスタンドとは別にマイクホルダ２０を用いる場合を説明したが、これに限らず、マイクスタンドの内側に直接テープ２１を貼るように構成してもよい。
【００３７】
さらに、その変形例としては、前述した実施形態で説明したマイクロフォンＭを、通常のマイクスタンドに保持させ、手を触れることでタッチセンサ１を作動させ、電源をオンさせ、さらにもう一度タッチすることで電源をオフするように構成してもよい。
【００３８】
なお、本発明は上述した実施の形態で説明した構造には限定されず、ハンド式マイクロフォンＭを構成する各部の形状、構造等を適宜変形、変更し得ることはいうまでもない。
たとえばハンド式マイクロフォンＭは、ワイヤレス型であっても、有線型であってもよいものであり、またその形状等としても種々の変形例が考えられる。
【００３９】
また、本発明によるハンド式マイクロフォンＭで使用するタッチセンサとしては、前述したように抵抗方式または静電容量方式のタッチセンサでよいが、これに限定されない。
さらに、本発明によるハンド式マイクロフォンＭをマイクスタンドに保持する際に使用するマイクホルダとしても、種々の変形例が考えられる。要は、マイクロフォン本体７側のタッチセンサ１を、擬似的にオン、オフ操作させることができるものであればよい。
【図面の簡単な説明】
【００４０】
【図１】本発明に係るタッチセンサ機能付きハンド式マイクロフォン装置の一実施形態を示し、（ａ），（ｂ）は手でハンド式マイクロフォンを握ったり離したりしたときの状態を示す概略図である。
【図２】本発明に係るタッチセンサ機能付きハンド式マイクロフォン装置のシステム全体構成を示す概略図である。
【図３】本発明に係るタッチセンサ機能付きハンド式マイクロフォン装置の詳細な構成の一例を説明するための説明図である。
【図４】本発明に係るタッチセンサ機能付きハンド式マイクロフォン装置の詳細な構成の別の例を説明するための説明図である。
【図５】本発明に係るタッチセンサ機能付きハンド式マイクロフォン装置において、マイクスタンドに使用する場合を説明するための図である。
【符号の説明】
【００４１】
１…タッチセンサ、２…制御部、３…電源回路、４…マイクアンプ回路、５…変調回路、６…電波出力回路、７…マイクロフォン本体（筐体）、８…マイクヘッド、９…アンテナ、１０…端子、１１…モード切替部、１２…タイマ部、１３…フィルタ、２１…フィルタ、２２…受信回路、２３…復調回路、Ｍ…ハンド式マイクロフォン（ハンド式マイクロフォン装置）、Ｈ…使用者の手。
【図１】
2007325141.tif 000003
【図２】
2007325141.tif 000004
【図３】
2007325141.tif 000005
【図４】
2007325141.tif 000006
【図５】
2007325141.tif 000007